(57)【要約】【課題】  この考案は、海水を絞って除去して処理液に混入する海水量を少なくし、処理液を絞って海水中へ入る処理液量を少なくする装置を得ることを目的としたものである。【解決手段】  この考案は、海苔網を処理船上へ持ち上げて海水を絞り取る手段、海苔網を処理液に漬け、又は噴霧し処理液を付着させる手段、処理液を絞り取る手段、海苔網を海に戻す手段を備えたことを特徴とする海苔網の液処理装置により目的を達成した。【選択図】      図１
0003106129.tif 000002
【実用新案登録請求の範囲】
【請求項１】
海苔網を処理船上へ持ち上げて海水を絞り取る手段、海苔網を処理液に漬け、又は噴霧して処理液を付着させる手段、処理液を絞り取る手段、海苔網を海に戻す手段を備えたことを特徴とする海苔網の液処理装置。
【請求項２】
内部に処理液槽を設けた処理船体の一側及び他側に、通過海苔網に付着した海水又は処理液の絞り取り手段を夫々架設し、前記処理液槽内の処理液を付着させる手段を設けたことを特徴とする海苔網の液処理装置。
【請求項３】
海水の絞り取り手段及び処理液の絞り取り手段は、海苔網を弾性ローラで挟着加圧したことを特徴とする請求項１又は２記載の海苔網の液処理装置。
【請求項４】
海苔網に海苔液を付着させる手段は、海苔網を処理液内へ押しつけ、又は処理液内に架設した巻取軸に巻き取ることとしたことを特徴とする請求項１又は２記載の海苔網の液処理装置。
【考案の詳細な説明】
【技術分野】
【０００１】
この考案は、海苔網を酸液又は高塩分濃度液を用いた液処理をすることにより、海苔の発病を防止すると共に、処理液による海水の汚染を可及的に少なくすることを目的とした海苔網の液処理装置に関する。
【背景技術】
【０００２】
従来海苔網の液処理については、海苔網を支柱から取り外して巻取軸に巻き取りながら処理液に浸漬し、ついで巻取軸に巻き取られた海苔網を処理液に浸漬しながら他の巻取軸に巻き返し、この海苔網を処理液に浸漬した後、取出して、再び支柱に設置する工程を経てなる液処理方法が知られている。
【０００３】
また船本体内の液処理槽内に二本の巻取軸を架設し、一方の巻取軸の海苔網を巻き出して張設しつつ、他方の巻取軸へ巻き込む装置も提案されている。
【０００４】
更に海苔網の下へ処理船を入れ、この処理船を移動しながら処理液に浸漬する方法と装置も提案されている。
【０００５】
前記処理液は酸を使用するのが一般的であるが、近来高濃度塩液の使用も提案されている。
【特許文献１】特公平４−２８３２５
【特許文献２】特許第２８０２６８９号
【特許文献３】特公平７−２２４６９
【特許文献４】特開平７−１３５８６７
【特許文献５】特開平８−５６４５５
【考案の開示】
【考案が解決しようとする課題】
【０００６】
前記特許文献１、２、３は海苔網を支柱から外して、巻取軸へ巻き取るので、処理液に浸漬する時間等は必要な時間をとることができる反面、作業性が悪くなる問題点があった。
【０００７】
前記特許文献４、５は、海苔網を張設したまま処理船を移動させ、処理船の処理槽内の処理液に海苔網を浸漬する方法であって、作業性は改善されたけれども、処理液消耗率が大きく、そのＰＨ変動が著しいので、処理液の補完の為に処理船は親船まで行き来しなければならない問題点があった。
【０００８】
前記引用文献１、２、３、４、５の共通の問題点は、海苔網に多量の海水が付着したまま処理液中へ入るので、処理液のＰＨ値が急速に変動し、処理効力の低下を来すおそれがあるので、ＰＨ調整に留意しなければならない問題点があった。
【０００９】
更に、処理した海苔網は多量の処理液が付着したまま海中へ戻されるので、処理液による海水の汚染が急速に進行する問題点があった。
【課題を解決するための手段】
【００１０】
この考案は、処理船へ持ち上げる海苔網から海水を除去すると共に、海に戻す海苔網から、処理液を可及的に除去することにより、前記従来の問題点を解決したのである。
【００１１】
即ちこの考案は、海苔網を処理船上へ持ち上げて海水を絞り取る手段、海苔網を処理液に漬け、又は噴霧して処理液を付着させる手段、処理液を絞り取る手段、海苔網を海に戻す手段を備えたことを特徴とする海苔網の液処理装置であり、内部に処理液槽を設けた処理船体の一側及び他側に、通過海苔網に付着した海水又は処理液の絞り取り手段を夫々架設し、前記処理液槽内の処理液を付着させる手段を設けたことを特徴とする海苔網の液処理装置である。
【００１２】
また、海水の絞り取り手段及び処理液の絞り取り手段は、海苔網を弾性ローラで挟着加圧したものであり、海苔網に海苔液を付着させる手段は、海苔網を処理液内へ押しつけ、又は処理液内に架設した巻取軸に巻き取ることとしたものである。
【００１３】
前記において、海中から引き上げる海苔網の海水を絞ることによって、処理液の濃度（ＰＨ）変化を可及的に少なくすると共に、処理液の浸透を容易にする利点がある。
【００１４】
また処理済の海苔網を絞ることによって、海苔網に付着している処理液を可及的に除去（表面はもとより、しみ込んでいる液も同様）し得ると共に、海苔網に浸透している処理液の溶出も可及的に低減されるので、海水汚染の低減と処理効果の持続性を高める利点がある。
【考案の効果】
【００１５】
この考案によれば、液処理前に海水を絞り取るので、処理の進行による処理液のＰＨ（濃度）変化を極力低下し、処理液の使用量を低減させる効果がある。
【００１６】
また処理済海苔網から処理液を絞り取るので、処理液の補充を極力低減し得ると共に（従ってＰＨ調整も少なくてすむ）、海水汚染を極力低減し得る効果がある。
【００１７】
然して海中へ戻された海苔網（海苔も）の表面に付着した処理液は少なくなり、内部保有の液も少ない状態となるので、海水中に入った海苔網（海苔も）は海水を含む方向に作用し、処理液の溶出量は極めて少なくなる利点がある。また処理液の保有割合が多くなるので、耐病性の持続と、海水汚染の進行防止とは比例することになり、処理回数の低減と、海水汚染の低減が見込まれる効果がある。
【考案を実施するための最良の形態】
【００１８】
この考案は、処理船に引き上げる海苔網を絞って付着した海水を可及的に少なくし、ついで処理済の海苔網を絞って付着している処理液を可及的に少なくした後、海苔網を海中へ戻す。
【００１９】
また他の考案は、処理船の船首側と、船尾側に絞りローラを架設し、海中から引き上げた海苔網を絞って海水を可及的に除去する。
【００２０】
また処理済の海苔網から処理液を絞って、残留処理液を可及的に少なくした後、海苔網を海中へ戻すようにしたものである。
【００２１】
前記に使用する絞りローラは、例えば、硬質の受けローラと、吸液用のスポンジローラとをセットで利用するが、受けローラに代えて受け板とすることもできる。
【００２２】
またスポンジローラに加圧されて圧出される液及び吸着された液は、速やかに排出する手段（例えば圧出又は減圧吸出など）を講じることが好ましい。
【実施例１】
【００２３】
この考案の実施の概要を図１について説明すると、海中に張設してある海苔網を引き上げながら、その下へ処理船を進行させるが、引き上げた船上で、ローラ加圧により海水を可及的に除去した後、海苔網を処理槽中の液に浸漬して液処理する。
【００２４】
次に処理船の進行に伴って、海苔網を処理槽中から処理船上へ引き上げ、ついでローラ加圧により海苔網に付着した処理液を除去した後、海苔網を海中へ戻す。
【００２５】
前記において処理時間は処理船の進行速度により調節し、除去した処理液は、異物その他の固形物を除去した後、処理槽へ戻す（又はそのまま戻すこともある）。
【００２６】
前記において、処理液のＰＨ調整又は濃度調整は適宜行うが、同一時機ならば、一旦測定して調整すれば、爾後は一定量の海苔網処理毎に処理液を取り換えることにより、ほぼ同一性能を保持することができる。
【００２７】
また高濃度塩水を使用する場合には、適濃度の比重測定により、使用可能濃度を規正することができる。この場合には、高濃度塩水を追加するなどの手段により、必要な塩濃度を保つことができる。
【実施例２】
【００２８】
この考案の実施装置を図２、３について説明すると、処理船体１の船首側１ａに、海苔網２の案内枠３の基部３ａを固定し、先端部３ｂは海上へ張出し設置する。また船首側には、円杆６の外周部に羽根６ａを放射状に突設したガイド杆７を架設すると共に、受けローラ４と、スポンジローラ５とよりなる加圧ローラセット８を架設する（図２、３）。
【００２９】
前記処理船体１の船尾側１ｂにも、前記と同様の加圧ローラセット９を架設した。前記処理船体１内には、処理槽１１が設置され、中央部に多数の透孔を有する押え管１２が回転自在に架設され、この発明の処理船１０が構成されている。図中１３は海苔網の張設杆である。
【００３０】
前記実施例において、処理船体１を矢示１４のように進行させると共に、海苔網２を処理船１の船首側１ａ上に持ち上げる。この際ガイド杆７をハンドル７ａにより回転して、海苔網２の角度を定める。
【００３１】
ついで海苔網２はローラセット８により加圧して海水を除去した後、処理槽１１内へ導き、押え管１２で抑えて水槽内へ浸漬する。また処理船１の進行に伴い、海苔網２を矢示１５のように船尾１ｂ側へ持ち上げる。この場合に、ガイド杆７の羽根角度により傾斜を調節することができる。
【００３２】
次に加圧ローラセット９により海苔網を加圧し、処理液を可及的に除去する。前記加圧ローラセット９は、受けローラ４と、スポンジローラ５により構成されている。
【００３３】
前記ローラセット９は、合成樹脂製の受けローラ４と、スポンジ製のスポンジローラ５とのセットであり、スポンジローラ５は一面で吸水し、他面で脱水する方式と、吸水しつつ脱水する方式とあるので、何れか一方を採用する。何れにしても、処理済海苔網に含まれた処理液を吸液除去することに重点をおくことになる。
【実施例３】
【００３４】
この考案の他の実施例を図４について説明すると、処理船体１の内部に処理槽１１を設置し、該処理槽１１内へ巻取軸１８、１９（巻出軸にもなる）を架設し、処理船体１の右縁部へ受けローラ２１と、加圧ローラ２２よりなる加圧ローラセット２３を架設し、前記処理槽１１の左側縁上へ、受けローラ２４と、加圧ローラ２５とからなる加圧ローラセット２６を架設して、この発明の処理船２０を構成した。
【００３５】
前記実施例において、海苔網２の一端を巻取軸１９に固定し、該巻取軸１９を矢示２７の方向へ回転して海苔網２を巻き込む。この場合に加圧ローラセット２３の間へ海苔網２を通せば、加圧ローラ２２（スポンジ製）と受けローラ２１とにより海水を絞るので、海苔網２の海水は可及的に絞られ、処理槽１１内へ入る海水は著しく削減される。
【００３６】
次に巻き取った海苔網２を、巻戻軸１８に巻き返して、その外側を加圧ローラセット２６に挟み、矢示２８のように進行させれば、スポンジ製の加圧ローラ２５と、ステンレス製の受けローラ２４との間で加圧されて、処理液を絞るので、処理液が海苔網２と共に海水中へ出る量が著しく少なくなる利点がある。
【実施例４】
【００３７】
この考案の他の実施例を図５について説明すれば、処理船体１の中央部に支持体２９を設置し、該支持体２９に受けローラ３０と、加圧ローラ３１とよりなる加圧ローラセット３２を架設し、前記支持体２９に、コ状のローラ枠３３の両基端を回転自在に取り付け、先端水平杆へ加圧ローラ３４を回転自在に取り付ける。
【００３８】
前記ローラ枠３３を倒した時にその水平杆は、処理船体１の両側の上部へ加圧ローラ３４が当接できるようにしてあり、この発明の処理船３５を構成した。図中３６は加圧ローラの当接面である。
【００３９】
前記実施例において、海苔網２の先端を、加圧ローラ３４（スポンジ製）と当接面３６との間を通し、矢示３７のように、巻取軸３８で巻き取れば、海苔網２の海水は加圧ローラ３４で脱水され、処理槽３９内へ入る海水は極めて少なくなる。
【００４０】
ついで前記海苔網２を、巻戻軸４０へ巻き変え、その先端側を、加圧ローラ３１と、受けローラ３０との間に通した後矢示４１の方向へ引張って海中へ張設すれば、処理液は加圧ローラ３１と、受けローラ３０との間で絞られるので、海中へ入る処理液は著しく少なくなる。図中３８ａは巻取軸、４０ａは巻戻軸であって、ローラ枠３３を反対側（３３ａ）に移した時、巻取軸３８、巻戻軸４０と同様に使用する。
【００４１】
前記において、海苔網２の海苔の表面に付着した処理液は殆んどなくなり、海苔と海苔の間その他に含まれた若干の処理液は海中へ入るが、積極的に拡散することはない。
【００４２】
したがって海苔網と共に海中へ入った処理液中、海中へ拡散する処理液は極めて少なくなり、海水汚染は著しく緩和される。
【図面の簡単な説明】
【００４３】
【図１】この考案の実施例のブロック図。
【図２】（ａ）同じく処理船の実施例の一部を省略した平面図、（ｂ）同じく一部を破切し、一部を省略、かつ破切した正面図。
【図３】同じくガイド杆の一部を省略した拡大斜視図。
【図４】（ａ）同じく他の実施例の縦断説明図、（ｂ）同じく巻き取り、巻き出し状態の説明図。
【図５】（ａ）同じく他の実施例の一部を断面した説明図、（ｂ）同じく巻き取り、巻き戻し状態を示す説明図。
【符号の説明】
【００４４】
１  処理船体
２  海苔網
３  案内杆
４  受けローラ
５  スポンジローラ
６  円杆
７、１３  ガイド杆
８、９  加圧ローラセット
１０  処理船
１１  処理槽
１２  押え管
１８、１９  巻取軸
２０  処理船
２１、２４  受けローラ
２２、２５  加圧ローラ
２３  加圧ローラセット
【図１】
0003106129.tif 000003
【図２】
0003106129.tif 000004
【図３】
0003106129.tif 000005
【図４】
0003106129.tif 000006
【図５】
0003106129.tif 000007
【手続補正書】
【提出日】平成16年7月14日(2004.7.14)
【手続補正１】
【補正対象書類名】実用新案登録請求の範囲
【補正対象項目名】請求項１
【補正方法】変更
【補正の内容】
【請求項１】
処理船の一側へ、海苔網を処理船上へ持ち上げて海水を絞り取る手段を架設し、処理船の中央部へ、海苔網を処理液に漬け、又は噴霧して処理液を付着させる手段を設置し、処理船の他側へ海苔網に付着した処理液を絞り取る手段を架設すると共に、海苔網を海に戻す手段を設置したことを特徴とする海苔網の液処理装置。